(57)【要約】【課題】  融雪面積が広がるにつれて設備規模が大型化し、温水の確保が困難になって残雪処理に経費が嵩み燃費も増加してしまう。【解決手段】  瓦屋根の屋根要素の表面に流下規正性能と雪の滑止め性能を持たせておく。この瓦屋根を複数の上下のブロックに分割し、各々のブロックに散水手段を設置する。順次に散水手段に通水しブロック毎の散水操作を行なうもので、出力時間可変のタイマーにより個々に散水時間をセットされ、最初のタイマーがタイムアップした後に後続のタイマーが起動し順次に作動してタイムアップしながらそれぞれが分担する開閉弁を順番に開閉して下段の散水ヘッダから上段の散水ヘッダにかけて順に散水を行ない、前記タイマーのすべてがタイムアップした後、これらのタイマーのすべてをリセットして再び最初のタイマーから順次に動作させるリセット手段により、残雪状況に応じて散水手段から散水を繰り返して行なえるようにする。【選択図】  図１
2006083685.tif 000002
【特許請求の範囲】
【請求項１】
瓦屋根が、液体含有量が少なく流下する熱媒体の一部を吸収し残りの部分が表面を滑る露出した速い流れの熱媒体の主流を形成する任意の幅の主要流下経路と、この主要流下経路の側部に位置し、前記主流よりも流速の遅い副流を形成する、主要流下経路に比べて液体含有量の大きな副流下経路とでなる規正流下表面を備えた瓦要素から構成されていて、この瓦屋根を少なくとも上下の関係で複数のブロックに分割し、各々のブロックの上流側に散水手段を設置する一方で、個々の散水手段に至る給水管の途中位置に電動式の開閉弁を配置し、それぞれの開閉弁を開閉操作して順次に散水手段に通水しブロック毎の散水操作を行なうもので、前記開閉弁の各々は作動出力を発する出力時間可変のタイマーにより個々に開放時間をセットされ、最初のタイマーがタイムアップした後に後続のタイマーが起動し順次に作動してタイムアップしながらそれぞれが分担する開閉弁を順番に開閉して下段の散水ヘッダから上段の散水ヘッダへと順番に散水を行ない、前記タイマーのすべてがタイムアップした後、これらのタイマーのすべてをリセットして再び最初のタイマーから順次に動作させるリセット手段により、残雪状況に応じて下段の散水手段から上段の散水ヘッダへと散水を繰り返して行なえるようにした瓦屋根の融雪方法。
【請求項２】
請求項１に記載された瓦屋根の融雪方法において、前記リセットタイマーに電力を供給する電源系に時限タイマーを介在させ、リセット手段の作動時間を時限タイマーで設定した通電時間内に限定するようにした瓦屋根の融雪方法。
【発明の詳細な説明】
【技術分野】
【０００１】  本発明は、少量の温水で瓦屋根の融雪を行なうための融雪方法に関する。
ここでいう瓦屋根とは、甍形式の屋根や波状の凹凸面を形成した屋根を総称したものである。
【背景技術】
【０００２】  地下水を散水して瓦屋根の雪を溶かす方式は汎用されてきた融雪方法である。瓦屋根は平板屋根に比べてトンネルができやすいため多量の散水を行う必要があり、それだけに水量が不足しやすい。【０００３】  瓦屋根は凹凸面の繰返し形状により雪層が凸部に乗った状態になり、雪層全体がズリやすく一挙に崩落することがある。必要水量が確保できなければ、中途半端な散水は危険が伴うため行わないのがよいとされてきた。【０００４】  必要量の温水の入手には、ボイラーを設置し屋根からの戻り水や河川水を暖めて利用する方法がある。この方式の基本は、不足する熱量を補える能力のボイラーを設置する一方、排水を再利用するか河川水を導入するかして水量を確保し、散水手段から一斉に低温水の散水を行なうことで対応しようとするものである。しかしながら、この方法では、散水量は膨大であり、また散水した温水と低温の融雪水が混ざりあって流水の水温が低下し雪の融けが悪い。その結果、燃費の嵩む欠点がある。
【特許文献１】  特開２０００−２２０３２１
【発明の開示】
【発明が解決しようとする課題】
【０００５】  解決しようとする問題点は、予定される瓦屋根の規模に対し確保できる温水の量が少ないと融雪に支障をきたし、補助熱源で対応するにしても高額の燃費を覚悟しなければならない点である。
【課題を解決するための手段】
【０００６】  本発明は、入手できる量の温水に見合う面積ごとに屋根を上下に小分けして散水を行ない、必要に応じ散水区域を移動させて広い融雪面をカバーすることを主要な特徴としている。
【発明の効果】
【０００７】  散水量が少なくてもそれに見合う面積を処理するので融雪面にトンネルと融けムラができにくく、けじめよく散水をきりあげられるので温水を無駄に流さなくてすむ。散水量が少ないのでボイラの高温水を希釈せず直接に散水して大量の雪を急速に短時間で処理することもできる。散水手段からの散水時間は各ブロックごとに調節できるので、ブロックごとの散水量を適正流量にセットでき散水に無駄がない。限られた量の温水を有効に利用できる利点がある。
【発明を実施するための最良の形態】
【０００８】  少ない水量の温水で広い面積の瓦屋根を融雪するという目的を、簡単な操作手順のもとで実現した。
【実施例１】
【０００９】  図１は、本発明に係る散水方法を説明するために用いた瓦屋根の斜視図である。図示した瓦屋根は、従来の粘土瓦やセメント瓦等の瓦要素を多数敷き詰めて造作した屋根、あるいは屋根瓦の並ぶ屋根面に見立てプレス成型した瓦要素の繰返し模様の金属板からなる屋根を描写している。【００１０】  図１の瓦屋根はイメージとしては６０平米規模のもので、散水区域は下段、中段、上段の３つのブロック１に分割されている。
これらブロック１の各々には散水手段２が設置されている。散水手段２は、図示の例では散水ヘッダである。散水ヘッダは３０ＶＰパイプが使用され、約４５センチ間隔毎に設けた散水ノズル（穿孔、スプレイ具等）より毎分１リットルの温水を散水するイメージである。各段の散水手段の分担する屋根面積は約２０平米、散水量は摂氏３５度換算で２０リットル、使用ボイラーの出湯能力は毎時４万５千キロカロリーである。
個々の散水手段２に至る給水管３の途中位置には電動式の開閉弁４が配置されている。図示の給水管３は１本からなり３つの散水手段はこれを共有している。散水手段の不使用時には給水管の温水は落水するように工夫されている。【００１１】  図２は、瓦屋根の瓦要素の１つを取り出し、その表面構造を示している。図３と４は図２の符合ａとｂが示す幅部分の表面構造を含む瓦要素の縦断面図である。図示の表面構造は、接着層３０を介して金属地板３１に一体化される吸水性に富んだ要素３２を示している。この要素は温水の偏りを防ぎ雪の消えムラを無くすとともに、表面の摩擦抵抗力が大きく雪の滑りを止める性質を備えている。【００１２】  規正流下性能と滑止めの性質は、例えば、本件出願と同一の出願人による特開平８−１８４２１６号（特願平６−３３９２６５）に記載されている。この公報にあるシートは織布から構成され、表面に載った雪は滑りにくい。流下する温水の挙動に規正を加えて流れを分散させる流下規正性能と、均一に広げた温水を雪の層に接触させる効率のよい熱交換性能を備えている。
前記シートは、液体含有量が少なく流下する熱媒体の一部を吸収し残りの部分が表面を滑る露出した速い流れの熱媒体の主流を形成する任意の幅の主要流下経路と、この主要流下経路の側部に位置し、前記主流よりも流速の遅い副流を形成する、主要流下経路に比べて液体含有量の大きな副流下経路とを有する吸液素材から構成されている。これら主要流下経路と副流下経路は、図３と図４の例ではそれぞれが３３と３４に相当している。表面構造のもっとも窪んだ部分には幅の広い副流下経路３５が設置されている。【００１３】  図５は、図１よりも大型の瓦屋根を例示している。具体的には、１２００平米の屋根を想定している。作図の便宜上、屋根の瓦模様は省略した。
この瓦屋根は横に５列、縦に６分割された合計３０の融雪のためのブロック１を形成している。これらブロック１の各々には散水手段２が設置されている。散水手段２は、図示の例では散水ヘッダである。散水ヘッダの上下の間隔は約４メートル、長さは約１０メートル、口径は４０φ、これに連絡する給水管３の口径は２５φである。【００１４】  各ブロック１の面積は４０平米、それぞれの散水手段２は他から独立して１か所ずつ散水が行われる。１つの散水手段による散水量は１平米あたり約８００ｃｃ、１ブロックあたり約３２リットル／毎分である。積雪を１０センチと仮定すれば、この積雪１０センチを融雪するのに必要な散水時間は１０分であるから、散水に要する時間は３０ブロック全体で約５時間である。従って、２４時間当たり４８センチまでの積雪量に対処することができる。【００１５】  個々の散水手段２に至る給水管３の途中位置には電動式の開閉弁４が配置されている。給水管３は主配管５に連結されている。主配管５は井戸もしくはボイラーに接続されている。ボイラーからの温水を使用する場合、処理時間を短縮するために摂氏３０度から５０度の高温水を使用することができる。３０度散水であれば、ボイラーの能力は理論的には５万キロカロリの家庭用ボイラーで用が足りる。５時間あたりの積雪を２０センチとするなら、このクラスのボイラー２基を使用して２箇所のブロックを個別に同時期に処理して処理時間の繰返し間隔を２倍に速めるか、または出湯量を２倍に増量して融雪能力を２倍にして対処する方法がある。【００１６】  開閉弁４を開閉操作して順次に散水手段２に通水しブロック毎の散水操作が行なわれる。散水手段２と給水管３の相対的な位置関係から、図１とは異なり開閉弁４には３方弁が使われている。この３方弁は閉鎖状態で排水管４ａから下流側の給水管３の排水を行なう。【００１７】  開閉弁は、図２に示す開閉弁用の操作制御器により動作を管理されている。
開閉弁４の各々は作動出力を発する出力時間可変のタイマーにより個々に開放時間をセットされている。図示の例では、開閉弁４への出力時間は１０分である。最初のタイマーＡが起動して開閉弁４を１０分開放する。図２のタイマーＡの管理する開閉弁４は、図１の屋根左端の最下段の散水手段２に至る給水管３の開閉を行なう。１０分経過してタイマーＡはタイムアップし開閉弁４を閉じる。数分の時間差をおいて後続のタイマーＢが起動して開閉弁４を２０分開放し屋根左端の下から２段目の散水手段への温水の供給を開始する。１０分経過してタイマーＢはタイムアップし開閉弁４を閉じる。同様に、タイマーＣ、Ｄ、Ｅ、Ｆの順に作動とタイムアップを順番に繰り返し、それぞれが分担する開閉弁を順番に開閉してより下段から中段へ、そして上段の散水手段に移行しながら散水を行なう。
タイマーＧは屋根の左から２番目の列の最下段の散水手段２に至る給水管３の開閉を行なう。１０分経過してタイマーＧはタイムアップし開閉弁４を閉じる。数分の時間差をおいて後続のタイマー（図示せず）が起動して開閉弁（図示せず）を１０分開放し、屋根の左から２番目の列の下から２段目の散水手段２への温水の供給を開始する。１０分経過してこのタイマーはタイムアップし開閉弁を閉じる。同様に、後続のタイマーは順に作動とタイムアップを繰り返し、それぞれが分担する開閉弁を順番に開閉してより上段の散水手段に移行しながら散水を行なう。【００１８】  前記タイマーのすべてがタイムアップした後、必要とあらば、これらのタイマーのすべてをリセットして再び最初のタイマーから順次に動作させる目的で、リセット手段Ｘ１を設置して置くことができる。リセット手段にはオン／オフ動作するリセットタイマーを使用できる。例えば、一連のタイマーがタイムアップしたままの状態でこれらタイマーの電源をオフにし、所定時間が経過してオン出力を発してタイマーの時系列動作を再開させることができる。
雪が降り続いている場合、または残雪状況に応じて、前記リセット手段Ｘ１の働きによりタイマーＡ〜の出力機能を回復させ、散水手段から散水を繰り返して行なえるようにできる。Ｘ２は押しボタン式の手動のリセット手段を表している。目視により残雪が認められるときには、この押しボタンを押して一連のタイマーをリセットして散水を再開することもできる。【００１９】  Ｙはリセット手段Ｘ１の作動時間を予め決めておく時限タイマーである。この時限タイマーにより、リセット手段の繰返し動作を意図的に停止させるのを忘れても安全装置として機能し、不必要に散水を繰返すのをなくせる。
操作者が留守をするような場合、２４時間のオン／オフタイマーＺを作動させてリセット手段Ｘ１の動作開始時刻と終了時刻を予めセットしておくことができる。
【産業上の利用可能性】
【００２０】  散水手段の段数に関わりなく長尺の積雪面を処理できるため、小規模の井戸施設またはボイラー設備を使用して、工場、駅舎、公共施設のような数千平米から数万平米の長尺屋根はもとより数キロに及ぶ鉄道路床や路面にも応用できる。
【図面の簡単な説明】
【００２１】
【図１】  瓦屋根の斜視図である。
【図２】  瓦屋根を構成する瓦要素の表面構造を示す斜視説明図である。
【図３】  瓦要素の表面構造の幅部分ａの縦断面図である。
【図４】  瓦要素の表面構造の幅部分ｂの縦断面図である。
【図５】  ブロックに分けて散水手段を配列した屋根の斜視図である。
【図６】  散水制御手段の説明図である。
【符合の説明】
【００２２】  １  ブロック
２  散水手段
３  給水管
４  開閉弁
３２  瓦要素の表面構造
Ａ〜Ｇ  タイマー
Ｘ１  リセット手段
Ｙ  時限タイマー
【図１】
2006083685.tif 000003
【図２】
2006083685.tif 000004
【図３】
2006083685.tif 000005
【図４】
2006083685.tif 000006
【図５】
2006083685.tif 000007
【図６】
2006083685.tif 000008